(57)【要約】【課題】混載原稿を印刷する場合の用紙交換を効率的に実施できるようにする。【解決手段】印刷ジョブを管理するジョブ管理装置と前記印刷ジョブを処理する印刷装置とが通信ネットワークで接続された印刷システムであって、前記ジョブ管理装置は、前記印刷ジョブで指定された原稿で使用される用紙サイズと、前記印刷装置の給紙トレイに設定された用紙サイズと、を比較する用紙サイズ比較部と、前記原稿で使用される用紙サイズの種類が前記印刷装置の給紙トレイに設定された用紙サイズの種類よりも多い場合に、所定の給紙トレイを用紙交換トレイに設定した場合の用紙交換回数を算出する用紙交換回数算出部と、算出した前記用紙交換回数を表示部に表示する表示制御部と、を備える。【選択図】図１０
2015090636.tif 000002
【特許請求の範囲】
【請求項１】
印刷ジョブを管理するジョブ管理装置と前記印刷ジョブを処理する印刷装置とが通信ネットワークで接続された印刷システムであって、
前記ジョブ管理装置は、
前記印刷ジョブで指定された原稿で使用される用紙サイズと、前記印刷装置の給紙トレイに設定された用紙サイズと、を比較する用紙サイズ比較部と、
前記原稿で使用される用紙サイズの種類が前記印刷装置の給紙トレイに設定された用紙サイズの種類よりも多い場合に、所定の給紙トレイを用紙交換トレイに設定した場合の用紙交換回数を算出する用紙交換回数算出部と、
算出した前記用紙交換回数を表示部に表示する表示制御部と、を備える、
ことを特徴とする印刷システム。
【請求項２】
前記用紙交換回数算出部は、前記用紙交換トレイの情報と交換する用紙サイズの情報とを含むガイド情報を生成し、
前記表示制御部は、前記用紙交換回数と共に前記ガイド情報を表示する、
ことを特徴とする請求項１に記載の印刷システム。
【請求項３】
前記用紙交換回数算出部は、予め定められた第１の給紙トレイを前記用紙交換トレイに設定した場合の第１の用紙交換回数と、所定のルールに従って特定した第２の給紙トレイを前記用紙交換トレイに設定した場合の第２の用紙交換回数と、を算出し、
前記表示制御部は、前記第１の用紙交換回数と前記第２の用紙交換回数とを比較可能に表示する、
ことを特徴とする請求項１又は２に記載の印刷システム。
【請求項４】
前記用紙交換回数算出部は、前記原稿をページ順に印刷する場合に、同じ用紙サイズのページの残数が初めにゼロになる用紙サイズの用紙を収納する給紙トレイを、前記第２の給紙トレイとして特定する、
ことを特徴とする請求項３に記載の印刷システム。
【請求項５】
前記用紙交換回数算出部は、各々の給紙トレイを前記用紙交換トレイに設定した場合に、前記用紙交換回数が最も少なくなる給紙トレイを、前記第２の給紙トレイとして特定する、
ことを特徴とする請求項３に記載の印刷システム。
【請求項６】
前記表示制御部は、前記印刷ジョブによる印刷開始時、又は、前記印刷ジョブの処理中の用紙交換発生時に、前記用紙交換回数又は前記ガイド情報を表示する、
ことを特徴とする請求項１乃至５のいずれか一に記載の印刷システム。
【請求項７】
印刷ジョブを管理するジョブ管理装置と前記印刷ジョブを処理する印刷装置とが通信ネットワークで接続された印刷システムにおける前記ジョブ管理装置で動作する制御プログラムであって、
前記ジョブ管理装置の制御部に、
前記印刷ジョブで指定された原稿で使用される用紙サイズと、前記印刷装置の給紙トレイに設定された用紙サイズと、を比較する用紙サイズ比較処理、
前記原稿で使用される用紙サイズの種類が前記印刷装置の給紙トレイに設定された用紙サイズの種類よりも多い場合に、所定の給紙トレイを用紙交換トレイに設定した場合の用紙交換回数を算出する用紙交換回数算出処理、
算出した前記用紙交換回数を表示部に表示する表示制御処理、を実行させる、
ことを特徴とする制御プログラム。
【請求項８】
前記用紙交換回数算出処理では、前記用紙交換トレイの情報と交換する用紙サイズの情報とを含むガイド情報を生成し、
前記表示制御処理では、前記用紙交換回数と共に前記ガイド情報を表示する、
ことを特徴とする請求項７に記載の制御プログラム。
【請求項９】
前記用紙交換回数算出処理では、予め定められた第１の給紙トレイを前記用紙交換トレイに設定した場合の第１の用紙交換回数と、所定のルールに従って特定した第２の給紙トレイを前記用紙交換トレイに設定した場合の第２の用紙交換回数と、を算出し、
前記表示制御処理では、前記第１の用紙交換回数と前記第２の用紙交換回数とを比較可能に表示する、
ことを特徴とする請求項７又は８に記載の制御プログラム。
【請求項１０】
前記用紙交換回数算出処理では、前記原稿をページ順に印刷する場合に、同じ用紙サイズのページの残数が初めにゼロになる用紙サイズの用紙を収納する給紙トレイを、前記第２の給紙トレイとして特定する、
ことを特徴とする請求項９に記載の制御プログラム。
【請求項１１】
前記用紙交換回数算出処理では、各々の給紙トレイを前記用紙交換トレイに設定した場合に、前記用紙交換回数が最も少なくなる給紙トレイを、前記第２の給紙トレイとして特定する、
ことを特徴とする請求項９に記載の制御プログラム。
【請求項１２】
前記表示制御処理では、前記印刷ジョブによる印刷開始時、又は、前記印刷ジョブの処理中の用紙交換発生時に、前記用紙交換回数又は前記ガイド情報を表示する、
ことを特徴とする請求項７乃至１１のいずれか一に記載の制御プログラム。
【発明の詳細な説明】
【技術分野】
【０００１】
本発明は、印刷システム及び制御プログラムに関し、特に、複数の用紙サイズの用紙を使用する印刷ジョブを処理する印刷システム及び印刷ジョブを実行する際の用紙交換を支援する制御プログラムに関する。
【背景技術】
【０００２】
ＭＦＰ（Multi Function Peripheral）などの印刷装置を用いて印刷を行う場合、利用者はコンピュータ装置で原稿データを作成し、プリンタドライバを用いて原稿データをページ記述言語（ＰＤＬ：Page Description Language）の印刷ジョブに変換して印刷装置に送信する。印刷装置では、印刷ジョブを解析してページ毎の画像データを生成し（この処理をＲＩＰ（Raster Image Processing）と呼ぶ。）、当該画像データに基づいて印刷処理を実行する。
【０００３】
ここで、複数の用紙サイズの用紙を使用する原稿（混載原稿と呼ぶ。）を印刷する場合、原稿で使用する用紙サイズの用紙が全て印刷装置に実装されていれば、そのまま印刷処理を実行することができるが、印刷装置の給紙トレイの数よりも原稿で使用する用紙サイズの種類の方が多い混載原稿を印刷する場合は、いずれかの給紙トレイで用紙交換が必要となる。
【０００４】
このような用紙交換が発生する場合の処理に関して、例えば、下記特許文献１には、画像情報に基づいて画像を形成する画像形成部と、この画像形成部に対して記録用紙を給紙・搬送する用紙搬送手段と、給紙された記録用紙のサイズを検知する紙サイズ検知手段と、この検知された検知紙サイズと指定された指定紙サイズとを比較し、両紙サイズの不一致を紙サイズエラーとして検出する紙サイズ比較手段と、紙サイズ不一致を無視するか否かをユーザが設定する手段と、前記紙サイズエラーの検知時に、紙サイズ不一致を無視する設定がなされているとき画像形成動作を続行し、紙サイズ不一致を無視する設定がなされていないとき画像形成動作を中止するよう画像形成部を制御する制御手段と、を備えた画像形成装置が開示されている。また、特許文献１には、前記制御手段は、前記紙サイズ不一致を無視する設定がなされている場合、前記検知紙サイズの搬送方向長さと前記指定紙サイズの紙搬送方向長さの長い方に合わせて画像形成のスループットを設定することが記載されている。
【先行技術文献】
【特許文献】
【０００５】
【特許文献１】特開２００３−９５４８２号公報
【発明の概要】
【発明が解決しようとする課題】
【０００６】
上記特許文献１では、紙サイズの不一致が発生した場合に、画像形成動作を中止するか継続するかを選択可能にし、画像形成動作を継続する場合は印刷装置の給紙トレイに設定されている用紙サイズに画像を合わせるように制御している。しかしながら、この方法では、原稿で指定された用紙サイズとは異なる用紙サイズの用紙に出力されてしまうため、原稿で指定された用紙サイズのままで印刷を行いたい場合には、やはり用紙交換が必要になってしまう。
【０００７】
この場合、従来のシステムでは、どのタイミングで何回の用紙交換が発生するかが分からないため、ユーザは混載原稿の印刷が完了するまで印刷装置の前で待機しなければならず、ユーザに負荷がかかるという問題があった。また、ユーザは混載原稿の印刷が完了するまで並行して他の作業を実施することができないため、時間の無駄が生じるという問題があった。
【０００８】
本発明は、上記問題点に鑑みてなされたものであって、その主たる目的は、混載原稿を印刷する場合の用紙交換を効率的に実施できるようにする印刷システム及び制御プログラムを提供することにある。
【課題を解決するための手段】
【０００９】
本発明の一側面は、印刷ジョブを管理するジョブ管理装置と前記印刷ジョブを処理する印刷装置とが通信ネットワークで接続された印刷システムであって、前記ジョブ管理装置は、前記印刷ジョブで指定された原稿で使用される用紙サイズと、前記印刷装置の給紙トレイに設定された用紙サイズと、を比較する用紙サイズ比較部と、前記原稿で使用される用紙サイズの種類が前記印刷装置の給紙トレイに設定された用紙サイズの種類よりも多い場合に、所定の給紙トレイを用紙交換トレイに設定した場合の用紙交換回数を算出する用紙交換回数算出部と、算出した前記用紙交換回数を表示部に表示する表示制御部と、を備えることを特徴とする。
【００１０】
本発明の一側面は、印刷ジョブを管理するジョブ管理装置と前記印刷ジョブを処理する印刷装置とが通信ネットワークで接続された印刷システムにおける前記ジョブ管理装置で動作する制御プログラムであって、前記ジョブ管理装置の制御部に、前記印刷ジョブで指定された原稿で使用される用紙サイズと、前記印刷ジョブを処理する印刷装置の給紙トレイに設定された用紙サイズと、を比較する用紙サイズ比較処理、前記原稿で使用される用紙サイズの種類が前記印刷装置の給紙トレイに設定された用紙サイズの種類よりも多い場合に、所定の給紙トレイを用紙交換トレイに設定した場合の用紙交換回数を算出する用紙交換回数算出処理、算出した前記用紙交換回数を表示部に表示する表示制御処理、を実行させることを特徴とする。
【発明の効果】
【００１１】
本発明の印刷システム及び制御プログラムによれば、混載原稿を印刷する場合の用紙交換を効率的に実施することができる。
【００１２】
その理由は、ジョブ管理装置（制御プログラム）は、混載原稿で使用される全ての用紙サイズと印刷ジョブを処理する印刷装置の給紙トレイに設定されている用紙サイズとを比較し、混載原稿で使用される用紙サイズの種類が印刷装置の給紙トレイに設定されている用紙サイズの種類よりも多い場合に、印刷途中で発生する用紙交換回数を算出し、算出した用紙交換回数をユーザに提示するからである。
【００１３】
また、用紙交換回数を算出する際に、予め定めた給紙トレイを用紙交換トレイに設定した場合の用紙交換回数と、予め定めたルールに従って特定した給紙トレイを用紙交換トレイに設定した場合の用紙交換回数と、を算出し、複数の用紙交換回数を比較可能にユーザに提示するからである。
【図面の簡単な説明】
【００１４】
【図１】本発明の一実施例に係る印刷システムの構成例を示す図である。
【図２】本発明の一実施例に係るコンピュータ装置の構成及び制御部の機能を示すブロック図である。
【図３】本発明の一実施例に係る印刷装置の構成を示すブロック図である。
【図４】本発明の一実施例に係る印刷装置の給紙トレイの用紙サイズ構成の一例を示す図である。
【図５】本発明の一実施例に係る混載原稿の用紙構成の一例を示す図である。
【図６】現在の用紙設定における用紙交換回数を説明する図である。
【図７】代替の用紙設定における用紙交換回数を説明する図である。
【図８】本発明の一実施例に係る印刷システムの動作（管理テーブルの作成処理）を示すフローチャート図である。
【図９】本発明の一実施例に係る印刷システムの動作（用紙交換トレイの設定処理）を示すフローチャート図である。
【図１０】本発明の一実施例に係る印刷システムの動作（現設定における用紙交換回数算出処理）を示すフローチャート図である。
【図１１】本発明の一実施例に係る印刷システムの動作（代替設定における用紙交換回数算出処理）を示すフローチャート図である。
【図１２】本発明の一実施例に係る印刷システムの動作（他の代替設定における用紙交換トレイの設定処理）を示すフローチャート図である。
【図１３】本発明の一実施例に係る印刷システムの動作（他の代替設定における用紙交換回数算出処理）を示すフローチャート図である。
【図１４】本発明の一実施例に係るガイド画面の表示例を示す図である。
【発明を実施するための形態】
【００１５】
背景技術で示したように、複数の用紙サイズの用紙を使用する混載原稿を印刷する際、印刷装置に実装されている給紙トレイの数よりも原稿で使用する用紙サイズの方が多い場合は、給紙トレイの用紙交換が必要となる。その場合、従来のシステムでは、どのタイミングで何回の用紙交換が発生するかが分からないため、ユーザは印刷が完了するまで印刷装置の前で待機しなければならず、また、印刷が完了するまで並行して他の作業を実施することができないという問題があった。
【００１６】
そこで、本発明の一実施の形態では、混載原稿の印刷開始時や用紙交換の発生時などのタイミングで、用紙交換回数や用紙交換内容（用紙交換を行う給紙トレイや用紙サイズ）をユーザに提示する。その際、混載原稿で使用する用紙サイズと印刷装置に設定されている給紙トレイの用紙サイズとを比較し、予め設定した給紙トレイを用紙交換トレイに設定した場合の用紙交換回数を提示したり、予め設定した給紙トレイを用紙交換トレイに設定した場合の用紙交換回数及び予め定めたルールに従って特定した給紙トレイを用紙交換トレイに設定した場合の用紙交換回数などの複数の用紙交換回数を比較可能に提示したりする。また、用紙交換回数を提示する際に、用紙交換時にどの給紙トレイにどの用紙サイズの用紙を設定すればよいかを示すガイド情報も提示する。
【００１７】
これにより、ユーザは用紙交換が何回発生するかを予め把握することができるため、印刷が完了するまで印刷装置の前で待機する必要が無くなり、ユーザの負荷を軽減することができ、また、他の作業を並行して実施することが可能となり、時間の無駄を無くすことができる。また、印刷開始前や印刷中の用紙交換のタイミングでどの給紙トレイにどの用紙サイズの用紙を設定すればよいかを知ることもできるため、用紙交換作業をスムーズに実施することが可能となり、ユーザの利便性を向上させることができる。
【実施例】
【００１８】
上記した本発明の実施の形態についてさらに詳細に説明すべく、本発明の一実施例に係る印刷システム及び制御プログラムについて、図１乃至図１４を参照して説明する。図１は、本実施例の印刷システムの構成例を示す図であり、図２は、本実施例のコンピュータ装置の構成及び制御部の機能を示すブロック図、図３は、本実施例の印刷装置の構成を示すブロック図である。また、図４は、本実施例の印刷装置の給紙トレイの用紙サイズ構成を示す図、図５は、混載原稿の用紙構成を示す図であり、図６及び図７は、用紙交換回数を説明する図である。また、図８乃至図１３は、本実施例の印刷システムの動作を示すフローチャート図であり、図１４は、ガイド画面の表示例を示す図である。
【００１９】
図１（ａ）に示すように、本実施形態の印刷システム１０は、印刷ジョブを送信して印刷を指示するクライアントのコンピュータ装置２０と、印刷ジョブを受信して印刷処理を実行する印刷装置３０と、で構成され、これらは、イーサネット（登録商標）、トークンリング、ＦＤＤＩ（Fiber-Distributed Data Interface）等の規格により定められるＬＡＮ（Local Area Network）やＷＡＮ（Wide Area Network）等の通信ネットワークによって接続されている。以下、各装置について詳細に説明する。
【００２０】
［コンピュータ装置］
コンピュータ装置２０は、図２（ａ）に示すように、ＣＰＵ（Central Processing Unit）２１と、ＲＯＭ（Read Only Memory）２２と、ＲＡＭ（Random Access Memory）２３と、ＨＤＤ（Hard Disk Drive）２４と、外部Ｉ／Ｆ２５と、表示部２６と、操作部２７などで構成される。
【００２１】
ＣＰＵ２１は、コンピュータ装置２０の動作を制御するためのプログラム、ＯＳ（Operating System）、原稿を作成するアプリケーション、アプリケーションで作成した原稿データをＰＣＬ（Printer Control Language）やＰＳ（Post Script）などのページ記述言語の印刷ジョブに変換するデバイスドライバ（プリンタドライバ）などをＲＯＭ２２やＨＤＤ２４から読み出し、ＲＡＭ２３に展開し実行する。
【００２２】
上記ＣＰＵ２１とＲＯＭ２２とＲＡＭ２３と（必要に応じてＨＤＤ２４と）で制御部が構成され、制御部は、図２（ｂ）に示すように、用紙サイズ比較部、用紙交換回数算出部、表示制御部としても機能する。
【００２３】
用紙サイズ比較部は、プリンタドライバによって作成された印刷ジョブを解析し、印刷ジョブで指定された原稿の各ページの用紙サイズを取得すると共に、印刷装置３０から印刷装置３０の給紙トレイに設定されている用紙サイズ情報を取得する。そして、原稿で使用される用紙サイズと給紙トレイに設定されている用紙サイズとを比較し、用紙サイズを管理するための管理テーブル（詳細は後述する。）を作成する。
【００２４】
用紙交換回数算出部は、印刷装置３０の給紙トレイの中から、所定の給紙トレイを選択して用紙交換に使用する給紙トレイ（用紙交換トレイと呼ぶ。）として設定する。具体的には、例えば、最後（印刷装置３０で設定された順番の最後）の給紙トレイや、最後の給紙トレイが対象となる原稿の印刷で１番多く使用される給紙トレイの場合は、その前の給紙トレイを用紙交換トレイに設定したりする。これらの給紙トレイを現設定の給紙トレイと呼ぶ。また、原稿で使用される用紙サイズの内、同じ用紙サイズのページの残数（残枚数と呼ぶ。）が初めて０になる用紙サイズの用紙を収納している給紙トレイや、各々の給紙トレイを用紙交換トレイに設定した場合に、用紙交換回数が最も少なくなる給紙トレイを用紙交換トレイに設定する。これらの給紙トレイを代替設定の給紙トレイと呼ぶ。
【００２５】
そして、用紙交換回数算出部は、原稿で使用される用紙サイズの中に、給紙トレイに設定されている用紙サイズ以外の用紙サイズがある場合に、現設定の給紙トレイを用紙交換トレイとした場合に必要となる用紙交換回数（現設定の用紙交換回数と呼ぶ。）を算出する。また、代替設定の給紙トレイを用紙交換トレイとした場合に必要となる用紙交換回数（代替設定の用紙交換回数と呼ぶ。）を算出する。
【００２６】
表示制御部は、印刷ジョブによる印刷開始時や、印刷ジョブの処理中の用紙交換発生時などのタイミングで、用紙交換回数算出部が算出した現設定の用紙交換回数を表示部２６（ガイド画面）に表示したり、現設定の用紙交換回数及び代替設定の用紙交換回数などの複数の用紙交換回数を比較可能に表示部２６（ガイド画面）に表示したりする。また、用紙交換回数を表示するにあたって、どの給紙トレイに収納されている用紙を、どの用紙サイズの用紙に交換すればよいかを示すガイド情報を表示部２６（ガイド画面）に表示する。
【００２７】
なお、上記用紙サイズ比較部、用紙交換回数算出部、表示制御部は、ハードウェアとして構成してもよいし、制御部を用紙サイズ比較部、用紙交換回数算出部、表示制御部として機能させる制御プログラムとして構成してもよい。
【００２８】
ＨＤＤ２４は、プリンタドライバによって作成された印刷ジョブ、印刷装置３０から取得した各給紙トレイに設定されている用紙サイズ情報、仮想トレイ情報、トレイ変更管理情報などを記憶する。
【００２９】
外部Ｉ／Ｆ２５は、ＮＩＣ（Network Interface Card）などで構成され、通信ネットワークを介して繋がっている印刷装置３０との接続を確立し、印刷装置３０に印刷ジョブを送信したり、印刷装置３０から上記用紙サイズ情報を受信したりする。なお、用紙サイズ情報は、ＭＩＢ（Management Information Base）を用いて取得することもできる。
【００３０】
表示部２６は、ＬＣＤ（Liquid Crystal Display）等からなり、アプリケーションの画面、プリンタドライバの印刷設定画面、用紙交換回数や用紙交換内容をユーザに提示するためのガイド画面などを表示する。操作部２７は、キーボードやマウス等からなり、原稿を作成するための操作、印刷ジョブの選択や印刷設定のための操作などを可能にする。
【００３１】
［印刷装置］
印刷装置３０は、図３に示すように、ＣＰＵ３１と、ＲＯＭ３２と、ＲＡＭ３３と、ＨＤＤ３４と、外部Ｉ／Ｆ３５と、表示部３６と、操作部３７と、画像制御部３８と、読取部３９と、印刷部４０などで構成される。
【００３２】
ＣＰＵ３１は、印刷装置３０の動作を制御するためのプログラムをＲＯＭ３２やＨＤＤ３４から読み出し、ＲＡＭ３３に展開し実行する。
【００３３】
ＨＤＤ３４は、コンピュータ装置２０から受信した印刷ジョブや、印刷部４０が印刷処理を行う画像データなどを記憶する。
【００３４】
外部Ｉ／Ｆ３５は、ＮＩＣなどで構成され、通信ネットワークを介して繋がっているコンピュータ装置２０との接続を確立し、コンピュータ装置２０から印刷ジョブを受信したり、コンピュータ装置２０に給紙トレイの用紙サイズ情報を送信したりする。
【００３５】
表示部３６は、ＬＣＤ等からなり、印刷装置の機能の選択や実行を指示するための画面などを表示する。操作部３７は、ボタンやスイッチ等からなり、機能の選択や実行を指示する操作などを可能にする。なお、表示部３６と操作部３７は別々の装置としても良いし、表示部３６上に、透明電極が格子状に配置された操作部（タッチパネル）３７を設けた一体の装置としてもよい。
【００３６】
画像制御部３８は、ＰＤＬで記述された印刷ジョブを翻訳し、印刷ジョブの各ページをラスタライズして印刷部４０で処理可能な画像データに変換する。
【００３７】
読取部３９は、原稿台に載置されたドキュメントの画像を光学的に読み取る部分であり、ドキュメントを走査する光源と、ドキュメントで反射された光を電気信号に変換するＣＣＤ（Charge Coupled Devices）等のイメージセンサと、電気信号をＡ／Ｄ変換するＡ／Ｄ変換器等により構成される。
【００３８】
印刷部４０は、電子写真方式や静電記録方式等の作像プロセスを利用した画像形成に必要な構成要素で構成され、画像制御部３８や読取部３９から受け取った画像データに基づいて用紙に画像を形成する。
【００３９】
なお、図３は印刷装置３０の一例であり、印刷ジョブに基づいて印刷処理が実行可能であれば、その構成は適宜変更可能である。例えば、図３では、印刷装置３０に読取部３９を備える構成を示したが、コンピュータ装置２０から送信される印刷ジョブのみを処理する場合は読取部３９を省略してもよい。
【００４０】
また、図１（ａ）では、印刷システム１０をコンピュータ装置２０と印刷装置３０とで構成したが、図１（ｂ）に示すように、更に、印刷ジョブを管理するプリンタコントローラやサーバなどのジョブ管理装置５０を備える構成とすることもできる。この場合は、ジョブ管理装置５０の構成はコンピュータ装置２０と同様であり、ジョブ管理装置５０の制御部を、上記用紙サイズ比較部、用紙交換回数算出部、表示制御部として機能させることもできる。
【００４１】
以下、上記構成の印刷システム１０の動作について説明する。なお、以下の説明において、印刷装置３０には、図４（ａ）に示すように給紙トレイが３つ（トレイ１〜３）が設けられており、各々のトレイには、図４（ｂ）に示すように３種類の用紙サイズの用紙（トレイ１にＴａｂ１、トレイ２のＴａｂ２、トレイ３にＡ４）が収納されているものとする。また、印刷対象となる原稿は、図５に示すように１０ページで構成され、４種類の用紙サイズの用紙（Ａ４、Ａ３、Ｔａｂ１、Ｔａｂ２）を使用する混載原稿であるとする。
【００４２】
図５の用紙構成の原稿を、図４の給紙トレイ構成の印刷装置３０で印刷する場合、印刷装置３０の給紙トレイに設定されている用紙サイズの種類（３種類）よりも、原稿で使用される用紙サイズの種類（４種類）の方が多いため、印刷途中で必ず給紙トレイの用紙交換が発生する。
【００４３】
例えば、図６（ａ）に示すように、トレイ２を用紙交換トレイに設定し、トレイ２でＴａｂ２とＡ３の交換を行う場合、図６（ｂ）に示すように、給紙トレイの用紙交換が４回発生する。具体的には、原稿の３ページ目を印刷するためにトレイ２のＴａｂ２をＡ３に交換し、５ページ目を印刷するためにトレイ２のＡ３をＴａｂ２に交換し、７ページ目を印刷するためにトレイ２のＴａｂ２をＡ３に交換し、９ページ目を印刷するためにトレイ２のＡ３をＴａｂ２に交換する必要がある。
【００４４】
一方、図７（ａ）に示すように、最初からトレイ２にＡ３を収納し、トレイ１を用紙交換トレイに設定し、トレイ１でＴａｂ１とＴａｂ２の交換を行う場合、図７（ｂ）に示すように、用紙交換回数は２回に減少する。具体的には、最初にトレイ２に収納されているＴａｂ２を取り出してＡ３に交換し、原稿の５ページ目を印刷するためにトレイ１のＴａｂ１をＴａｂ２に交換するだけでよい。
【００４５】
このように事前に原稿の用紙構成を把握し、印刷装置３０の給紙トレイに設定する用紙サイズを変えたり、用紙交換トレイを変えたりするだけで、用紙交換回数を減らすことが可能となる。しかしながら、ユーザが印刷ジョブを実行する度に原稿の用紙構成や印刷装置３０の給紙トレイの用紙サイズ構成を調べて、どのタイミングで用紙交換が必要になるか、用紙交換回数が何回になるかを考えるのは煩雑である。
【００４６】
そこで、本実施例では、印刷ジョブを実行又は用紙交換を実施するタイミングで、コンピュータ装置２０は、印刷ジョブを解析して原稿で使用される用紙サイズを取得すると共に、印刷装置３０の給紙トレイに設定されている用紙サイズを取得して比較し、給紙トレイに設定されている用紙サイズ以外の用紙サイズが原稿で使用されている場合は、予め定めた給紙トレイを用紙交換トレイとした場合の用紙交換回数をユーザに提示する。また、予め定めた給紙トレイを用紙交換トレイとした場合の用紙交換回数と予め定めたルールに従って特定した給紙トレイを用紙交換トレイとした場合の用紙交換回数などを算出し、複数の用紙交換回数を比較可能にユーザに提示する。
【００４７】
以下、本実施例のコンピュータ装置２０（又はジョブ管理装置５０）の処理について説明する。ＣＰＵ２１は、ＲＯＭ２２やＨＤＤ２４に記憶した制御プログラムをＲＡＭ２３に展開して実行することにより、図８乃至図１２のフローチャート図の各ステップに示す処理を実行する。なお、以下の説明において、印刷装置２０の給紙トレイは図４（ｂ）に示す用紙サイズ構成とし、印刷対象となる原稿は、図５に示す用紙構成であるとする。
【００４８】
まず、用紙交換回数を算出するための管理テーブルを作成する手順について、図８のフローチャート図を参照して説明する。
【００４９】
コンピュータ装置２０（又はジョブ管理装置５０）の制御部（用紙サイズ比較部）は、印刷装置３０から給紙トレイに設定されている用紙サイズ情報（図４（ｂ）の情報）を取得し、給紙トレイと用紙サイズとを対応付けて、ＨＤＤ２４などに保持する仮想トレイ情報にコピーする（Ｓ１０１）。
【００５０】
次に、用紙サイズ比較部は、印刷ジョブで指定された原稿の１ページ目を読み込み（Ｓ１０２）、そのページの用紙サイズが、用紙サイズと枚数と給紙トレイとを対応付ける管理テーブルに登録されているかを判断する（Ｓ１０３）。そのページの用紙サイズが管理テーブルに登録されていない場合は、用紙サイズ比較部は、そのページの用紙サイズを管理テーブルの用紙サイズ欄に書き込み（Ｓ１０４）、管理テーブルの枚数欄に１を設定する（Ｓ１０５）。一方、そのページの用紙サイズが管理テーブルに登録済みの場合は、用紙サイズ比較部は、管理テーブルの枚数欄を更新（１を加算）する（Ｓ１０６）。
【００５１】
次に、用紙サイズ比較部は、管理テーブルの給紙トレイ欄に、その用紙サイズの用紙を収納している給紙トレイの有無が設定されているかを判断する（Ｓ１０７）。給紙トレイの有無が管理テーブルに設定されていない場合は、用紙サイズ比較部は、仮想トレイ情報を参照して、その用紙サイズがいずれかの給紙トレイに設定されているかを判断し（Ｓ１０８）、いずれかの給紙トレイにその用紙サイズが設定されている場合は、管理テーブルの給紙トレイ欄に「有」を設定し（Ｓ１０９）、いずれの給紙トレイにもその用紙サイズが設定されていない場合は、管理テーブルの給紙トレイ欄に「無」を設定する（Ｓ１１０）。一方、給紙トレイの有無が管理テーブルに設定済みの場合は（Ｓ１０７のＹｅｓ）、Ｓ１１１にスキップする。
【００５２】
次に、用紙サイズ比較部は、そのページが原稿の最終ページであるかを判断し（Ｓ１１１）、最終ページであれば管理テーブルの作成処理を終了し、最終ページでなければ原稿の次のページを読み込み（Ｓ１１２）、Ｓ１０３に戻って同様の処理を繰り返す。
【００５３】
この一連の処理により、図８の右上に示す管理テーブルが作成される。具体的には、Ａ４の用紙は、原稿の１、４、６、８、１０ページで指定されているため枚数欄は「５」となり、Ａ４の用紙はトレイ３に収納されているため給紙トレイ欄は「有」となる。また、Ｔａｂ１の用紙は、原稿の２ページで指定されているため枚数欄は「１」となり、Ｔａｂ１の用紙はトレイ１に収納されているため給紙トレイ欄は「有」となる。また、Ａ３の用紙は、原稿の３、７ページで指定されているため枚数欄は「２」となり、Ａ３の用紙はどの給紙トレイにも収納されていないため給紙トレイ欄は「無」となる。また、Ｔａｂ２の用紙は、原稿の５、９ページで指定されているため枚数欄は「２」となり、Ｔａｂ２の用紙はトレイ２に収納されているため給紙トレイ欄は「有」となる。
【００５４】
次に、上記フローで作成した管理テーブルを用いて用紙交換トレイを設定する手順について、図９のフローチャート図を参照して説明する。
【００５５】
コンピュータ装置２０（又はジョブ管理装置５０）の制御部（用紙交換回数算出部）は、比較枚数を０に設定して初期化する（Ｓ２０１）。次に、用紙交換回数算出部は、管理テーブルの枚数欄から順に枚数を取得し（Ｓ２０２）、管理テーブルから取得した枚数が比較枚数よりも大きいかを判断する（Ｓ２０３）。管理テーブルから取得した枚数が比較枚数よりも大きい場合は、用紙交換回数算出部は、管理テーブルから取得した枚数を比較枚数に設定し（Ｓ２０４）、取得した枚数に対応する用紙サイズを管理テーブルから取得して保持する（Ｓ２０５）。一方、管理テーブルから取得した枚数が比較枚数以下の場合は、Ｓ２０６にスキップする。
【００５６】
次に、用紙交換回数算出部は、管理テーブルが終了したか（管理テーブルの最後の行まで参照したか）を判断し（Ｓ２０６）、終了していない（次の行がある）場合は、管理テーブルの参照位置を更新した後（Ｓ２０７）、Ｓ２０２に戻って同様の処理を繰り返す。このＳ２０２〜Ｓ２０７の処理で、原稿で使用される用紙サイズの内、枚数が最も多い用紙サイズが特定される。一方、管理テーブルが終了した（管理テーブルの最後の行まで参照した）場合は、用紙交換回数算出部は、予め定めた給紙トレイ（例えば、最後の給紙トレイ）を用紙交換トレイに設定する（Ｓ２０８）。
【００５７】
次に、用紙交換回数算出部は、仮想トレイ情報を参照して、給紙トレイに収納されている用紙サイズを順に取得し、Ｓ２０５で保持した用紙サイズと仮想トレイ情報から取得した給紙トレイの用紙サイズとが等しいかを判断する（Ｓ２０９）。保持した用紙サイズと給紙トレイの用紙サイズとが等しくない場合は、用紙交換回数算出部は、仮想トレイ情報を参照して、次の給紙トレイに収納されている用紙サイズを取得し（Ｓ２１０）、Ｓ２０９に戻って用紙サイズを比較する。このＳ２０９、Ｓ２１０の処理で、原稿の枚数が最も多い用紙サイズの用紙を収納している給紙トレイが特定される。
【００５８】
保持した用紙サイズと給紙トレイの用紙サイズとが等しい場合は（Ｓ２０９のＹｅｓ）、用紙交換回数算出部は、その用紙サイズの用紙を収納している給紙トレイを１番多く使用する給紙トレイに設定し（Ｓ２１１）、Ｓ２０８で設定した用紙交換トレイが、Ｓ２１１で設定した１番多く使用する給紙トレイと等しいかを判断する（Ｓ２１２）。これらの給紙トレイが等しい場合は、１番多く使用する給紙トレイが用紙交換トレイとなってしまい、用紙交換回数が増加してしまうため、用紙交換回数算出部は、１番多く使用する給紙トレイの前の給紙トレイを用紙交換トレイに設定し（Ｓ２１３）、用紙交換トレイの設定処理を終了する。
【００５９】
例えば、図４（ｂ）の用紙サイズ構成に対して図５の原稿を印刷する場合は、最も枚数が多い用紙サイズはＡ４であり、Ａ４サイズの用紙は最後の給紙トレイであるトレイ３に収納されているため、その前のトレイ２が用紙交換トレイとして設定されることになる。なお、上記フローでは１番多く使用する給紙トレイが最後の給紙トレイの場合に、その１つ前の給紙トレイを用紙交換トレイに設定したが、用紙交換トレイは１番多く使用する給紙トレイ以外であればよく、例えば、２つ前の給紙トレイを用紙交換トレイに設定したり、最初の給紙トレイを用紙交換トレイに設定したりすることもできる。
【００６０】
次に、上記フローで設定した用紙交換トレイを用いて用紙交換を行う場合の用紙交換回数（現設定の用紙交換回数）を算出する手順について、図１０のフローチャート図を参照して説明する。
【００６１】
コンピュータ装置２０（又はジョブ管理装置５０）の制御部（用紙交換回数算出部）は、印刷装置３０から給紙トレイに設定されている用紙サイズ情報（図４（ｂ）の情報）を取得し、給紙トレイと用紙サイズとを対応付けて仮想トレイ情報にコピーする（Ｓ３０１）。
【００６２】
次に、用紙交換回数算出部は、原稿の１ページ目を読み込み（Ｓ３０２）、そのページの用紙サイズが仮想トレイ情報にあるかを検索する（Ｓ３０３）。そのページの用紙サイズが仮想トレイ情報にない場合は、用紙交換回数算出部は、そのページの用紙サイズを仮想トレイ情報の用紙交換トレイに対応する用紙サイズ欄に上書きし（Ｓ３０５）、用紙サイズを変更したページの情報と変更した用紙サイズとをトレイ変更管理情報に保存した後（Ｓ３０６）、用紙交換回数をカウントアップする（Ｓ３０７）。一方、そのページの用紙サイズが仮想トレイ情報にある場合は、用紙交換の必要がないため、Ｓ３０８にスキップする。
【００６３】
次に、用紙交換回数算出部は、そのページが原稿の最終ページであるかを判断し（Ｓ３０８）、最終ページであれば用紙交換回数算出処理を終了し、最終ページでなければ、次のページを読み込み（Ｓ３０９）、Ｓ３０３に戻って同様の処理を繰り返す。
【００６４】
例えば、図９のフローチャート図に従ってトレイ２を用紙交換トレイに設定した場合、図６に示すように、３ページ目を処理する前にＴａｂ２をＡ３に交換し、５ページ目を処理する前にＡ３をＴａｂ２に交換し、７ページ目を処理する前にＴａｂ２をＡ３に交換し、９ページ目を処理する前にＡ３をＴａｂ２に交換することになるため、現設定の用紙交換回数は４回となる。
【００６５】
上記フローで算出した用紙交換回数をユーザに提示するだけでも、時間の無駄を無くしユーザの負荷を軽減することができるが、用紙交換回数がより少なくなる条件をユーザに提示することにより、ユーザは印刷ジョブを効率的に処理することができる。そこで、本実施例では、図１１のフローチャート図に従って、代替設定の用紙交換回数を算出するための用紙交換トレイを設定する。なお、以下のフローでは、原稿に含まれる用紙サイズの内、その後のページで使用される同じ用紙サイズの用紙の残枚数が初めて０になる用紙サイズの用紙を収納している給紙トレイを用紙交換トレイに設定するものとする。
【００６６】
コンピュータ装置２０（又はジョブ管理装置５０）の制御部（用紙交換回数算出部）は、原稿の１ページ目を読み込み（Ｓ４０１）、管理テーブルを参照して、読み込んだページの用紙サイズに対応する枚数欄の数を１減算する（Ｓ４０２）。そして、枚数欄の残枚数が初めて０になったかを判断し（Ｓ４０３）、残枚数が初めて０になった場合は、残枚数が０の用紙サイズに設定されている給紙トレイを用紙交換トレイに設定する（Ｓ４０４）。
【００６７】
次に、用紙交換回数算出部は、そのページが原稿の最終ページであるかを判断し（Ｓ４０５）、最終ページであれば用紙交換トレイの設定処理を終了し、最終ページでなければ、次のページを読み込み（Ｓ４０６）、Ｓ４０２に戻って同様の処理を繰り返す。
【００６８】
例えば、図５の用紙構成の原稿を処理する場合、１ページ目はＡ４であるため、Ｓ４０２ではＡ４に対応する枚数欄の数から１を減算して４となる。Ａ４の残枚数は０でないため（Ｓ４０３のＮｏ）、Ｓ４０６で次のページを読み込む。次のページ（２ページ目）はＴａｂ１であり、Ｓ４０２ではＴａｂ１に対応する枚数欄の数から１を減算して０となり、残枚数が初めて０になったため（Ｓ４０３のＹｅｓ）、Ｓ４０４で、Ｔａｂ１の用紙を収納している給紙トレイ（トレイ１）を用紙交換トレイとして設定する。
【００６９】
次に、図１１のフローで設定した用紙交換トレイを用いて用紙交換を行う場合の用紙交換回数（代替設定の用紙交換回数）を算出する手順について、図１２のフローチャート図を参照して説明する。
【００７０】
コンピュータ装置２０（又はジョブ管理装置５０）の制御部（用紙交換回数算出部）は、原稿の１ページ目を読み込み（Ｓ５０１）、そのページの用紙サイズが仮想トレイ情報にあるかを検索する（Ｓ５０２）。そのページの用紙サイズが仮想トレイ情報にない場合は（Ｓ５０３のＮｏ）、用紙交換回数算出部は、そのページの用紙サイズを仮想トレイ情報の用紙交換トレイに対応する用紙サイズ欄に上書きする（Ｓ５０４）。そして、用紙交換回数算出部は、用紙サイズを変更したページの情報と変更した用紙サイズとをトレイ変更管理情報に保存し（Ｓ５０５）、用紙交換回数をカウントアップする（Ｓ５０６）。一方、そのページの用紙サイズが仮想トレイ情報にある場合（Ｓ５０３のＹｅｓ）は、用紙交換の必要がないため、Ｓ５０７にスキップする。
【００７１】
次に、用紙交換回数算出部は、そのページが原稿の最終ページであるかを判断し（Ｓ５０７）、最終ページであれば用紙交換回数算出処理を終了し、最終ページでなければ、次のページを読み込み（Ｓ５０８）、Ｓ５０２に戻って同様の処理を繰り返す。
【００７２】
例えば、図１１のフローチャート図に従ってトレイ１を用紙交換トレイに設定した場合、図５より、原稿の１ページ目はＡ４であり、仮想トレイ情報にＡ４があるため（Ｓ５０３のＹｅｓ）、Ｓ５０８で次のページを読み込む。次のページ（２ページ目）はＴａｂ１であり、仮想トレイ情報にＴａｂ１があるため（Ｓ５０３のＹｅｓ）、Ｓ５０８で次のページを読み込む。次のページ（３ページ目）はＡ３であり、仮想トレイ情報にＡ３がないため（Ｓ５０３のＮｏ）、Ｓ５０４で用紙交換トレイ（トレイ１）にＡ３を設定し、Ｓ５０６で用紙交換回数をカウントアップする。その後、４ページ目から１０ページ目の用紙サイズは仮想トレイ情報にあり、用紙交換回数をカウントアップされないため、代替設定の用紙交換回数は１回となる。
【００７３】
なお、図１１のフローでは、残枚数が初めに０になる給紙トレイを用紙交換トレイに設定した時の用紙交換回数を算出する場合について記載したが、例えば、各用紙サイズの用紙を同じように使用する場合や、残枚数が初めに０になる給紙トレイに収納されている用紙の使用頻度が高い場合などには、用紙交換回数を十分に少なくすることができない場合もあり得る。そのような場合には、各々の給紙トレイを用紙交換トレイに設定した場合の用紙交換回数を算出し、それらを比較することによって、用紙交換回数が最小となるように用紙交換トレイを設定することもできる。その場合の処理について、図１３のフローチャート図を参照して説明する。
【００７４】
まず、用紙交換回数算出部は、給紙トレイの番号を表すｎと、原稿のページ番号を表すｍを１に設定する（Ｓ６０１）。
【００７５】
次に、用紙交換回数算出部は、ｎ番目の給紙トレイを用紙交換トレイに設定し（Ｓ６０２）、原稿のｍページの用紙サイズを取得する（Ｓ６０３）。そして、用紙交換回数算出部は、仮想トレイ情報を参照して、ｍページの用紙サイズの用紙がいずれかの給紙トレイに収納されているかを判断し（Ｓ６０４）、ｍページの用紙サイズの用紙がいずれの給紙トレイにも収納されていない場合は、仮想トレイ情報のｎ番目の給紙トレイの用紙サイズをｍページの用紙サイズに変更し（Ｓ６０５）、ｎ番目の用紙交換回数をカウントアップする（Ｓ６０６）。一方、ｍページの用紙サイズの用紙がいずれかの給紙トレイに収納されている場合は（Ｓ６０４のＹｅｓ）、用紙交換の必要がないため、Ｓ６０７にスキップする。
【００７６】
次に、用紙交換回数算出部は、ｍページが原稿の最終ページであるかを判断し（Ｓ６０７）、ｍページが原稿の最終ページでなければ、ｍに１を加算し（Ｓ６０８）、Ｓ６０３に戻って同様の処理を繰り返す。一方、ｍページが原稿の最終ページであれば、用紙交換回数算出部は、現在の給紙トレイが最後の給紙トレイであるかを判断し（Ｓ６０９）、最後の給紙トレイでなければ、ｎに１を加算し（Ｓ６１０）、Ｓ６０２に戻って同様の処理を繰り返す。
【００７７】
現在の給紙トレイが最後の給紙トレイの場合は（Ｓ６０９のＹｅｓ）、用紙交換回数算出部は、ｎ個の用紙交換回数を比較して用紙交換回数の最小となるｎを特定し（Ｓ６１１）、ｎ番目の給紙トレイを用紙交換トレイとして記憶すると共に、その時の用紙交換回数を代替設定の用紙交換回数として記憶する（Ｓ６１２）。
【００７８】
例えば、図４（ａ）の給紙トレイ構成において、トレイ１を用紙交換トレイに設定した場合、トレイ１に収納する用紙を、３ページ目でＴａｂ１からＡ３に交換することになるため、用紙交換回数は１回となる。また、トレイ２を用紙交換トレイに設定した場合、トレイ２に収納する用紙を、３ページ目でＴａｂ２からＡ３に交換し、５ページ目でＡ３からＴａｂ２に交換し、７ページ目でＴａｂ２からＡ３に交換し、９ページ目でＡ３からＴａｂ２に交換するため、用紙交換回数は４回となる。また、トレイ３を用紙交換トレイに設定した場合、トレイ３に収納する用紙を、３ページ目でＡ４からＡ３に交換し、４ページ目でＡ３からＡ４に交換し、７ページ目でＡ４からＡ３に交換し、８ページ目でＡ３からＡ４に交換するため、用紙交換回数は４回となる。従って、図１３のフローチャート図に従って処理すると、代替の用紙交換回数は１回となる。なお、このケースでは図１２のフローチャート図の場合と同じ結果になる。
【００７９】
そして、上記フローに従って用紙交換回数を算出したら、コンピュータ装置２０（又はジョブ管理装置５０）の制御部（表示制御部）は、印刷ジョブによる印刷開始時や、印刷ジョブの処理中の用紙交換発生時などのタイミングで、算出した用紙交換回数をユーザに提示する。例えば、図１４（ａ）に示すように、図１０のフローチャート図に従って算出した現設定の用紙交換回数をユーザに提示するためのガイド画面を表示部２６に表示させる。これにより、ユーザは印刷ジョブの実行に際して、何回の用紙交換作業が発生するかを事前に知ることができるため、効率的に用紙交換を行うことが可能となり、計画的に印刷ジョブを処理することができる。
【００８０】
また、表示制御部は、ガイド画面に、図１０のフローチャート図に従って算出した現設定の用紙交換回数と図１２（又は図１３）のフローチャート図に従って算出した代替設定の用紙交換回数と、を比較可能に表示することもできる。例えば、図１４（ｂ）に示すように、ガイド画面に現設定の用紙交換回数（４回）と代替設定の用紙交換回数（１回）とを比較可能に表示する。これにより、ユーザは現在の設定のまま印刷ジョブを実行するか、代替の設定に変更して印刷ジョブを実行するかを判断することができるため、ユーザはより効率的に用紙交換を行うことが可能となり、より計画的に印刷ジョブを処理することができる。
【００８１】
また、表示制御部は、ガイド画面に現設定の用紙交換回数や代替設定の用紙交換回数を表示する際に、どの給紙トレイをどの用紙サイズの用紙に交換すればよいかを示すガイド情報を表示することもできる。例えば、図１４（ａ）、（ｂ）に示すように、現在の設定の場合は、トレイ２に対してＴａｂ２とＡ３の交換を行えばよく、代替設定の場合は、トレイ１に対してＴａｂ１をＡ３に交換すればよいことを表示する。このようなガイド情報を表示することにより、ユーザは更に効率的に用紙交換を行うことが可能となる。
【００８２】
また、図１２や図１３のフローでは、現在、給紙トレイに収納されている用紙を変えずに、用紙交換回数を算出したが、図７に示すように、給紙トレイに収納されている用紙を変えることもできる。その場合は、表示制御部は、図１４（ｃ）に示すように、ガイド画面に現設定の用紙交換回数（４回）と給紙トレイの用紙を予め変更した場合の代替設定の用紙交換回数（２回）とを比較可能に表示したり、その場合のガイド情報を表示したりすることができる。また、用紙交換回数やガイド情報は、印刷開始時や用紙交換発生時に限らず、印刷ジョブ生成後の任意のタイミングで表示することができる。
【００８３】
なお、本発明は上記各実施例の記載に限定されず、本発明の趣旨を逸脱しない限りにおいて、その構成や制御方法は適宜変更可能である。
【００８４】
例えば、上記実施例では、用紙交換回数やガイド情報をコンピュータ装置２０の表示部２６に表示するものとしたが、印刷システム１０にジョブ管理装置５０を含む場合は、用紙交換回数やガイド情報をジョブ管理装置５０の表示部に表示してもよい。また、コンピュータ装置２０の表示部２６に表示する代わりに、若しくは、コンピュータ装置２０の表示部２６に表示すると共に、印刷装置３０の表示部３６に用紙交換回数やガイド情報を表示してもよく、印刷装置３０の表示部３６に表示することによって、ユーザは確実に用紙交換を行うことができる。
【００８５】
また、上記実施例では、複数の給紙トレイの内の１つを用紙交換トレイに設定する場合を示したが、複数の給紙トレイの内の２つ以上を用紙交換トレイに設定する場合に対しても本発明の制御を同様に適用することができる。
【００８６】
また、上記実施例では、印刷装置２０の全ての給紙トレイに、原稿で使用される用紙サイズが設定されている場合を示したが、いずれかの給紙トレイに、原稿で使用される用紙サイズ以外の用紙サイズの用紙が収納されていてもよく、その場合は、その給紙トレイを用紙交換トレイに設定してもよいし、その給紙トレイを除外して用紙交換トレイを設定してもよい。
【産業上の利用可能性】
【００８７】
本発明は、印刷ジョブを管理するジョブ管理装置と印刷ジョブを処理する印刷装置とを含む印刷システム及びジョブ管理装置で動作する制御プログラム並びに当該制御プログラムを記録した記録媒体に利用可能である。
【符号の説明】
【００８８】
１０  印刷システム
２０  コンピュータ装置
２１  ＣＰＵ
２２  ＲＯＭ
２３  ＲＡＭ
２４  ＨＤＤ
２５  外部Ｉ／Ｆ
２６  表示部
２７  操作部
３０  印刷装置
３１  ＣＰＵ
３２  ＲＯＭ
３３  ＲＡＭ
３４  ＨＤＤ
３５  外部Ｉ／Ｆ
３６  表示部
３７  操作部
３８  画像制御部
３９  読取部
４０  印刷部
５０  ジョブ管理装置
【図１】
2015090636.tif 000003
【図２】
2015090636.tif 000004
【図３】
2015090636.tif 000005
【図４】
2015090636.tif 000006
【図５】
2015090636.tif 000007
【図６】
2015090636.tif 000008
【図７】
2015090636.tif 000009
【図８】
2015090636.tif 000010
【図９】
2015090636.tif 000011
【図１０】
2015090636.tif 000012
【図１１】
2015090636.tif 000013
【図１２】
2015090636.tif 000014
【図１３】
2015090636.tif 000015
【図１４】
2015090636.tif 000016